(57)【特許請求の範囲】
【請求項１】
少なくとも第１の画面及び第２の画面を備える端末によって実装される表示制御方法であって、
前記表示制御方法は、
前記端末が縦向き姿勢のときに、前記端末が第１のアプリケーションインタフェースを前記第１の画面及び前記第２の画面に表示する段階と、
前記端末が横向き姿勢のときに、前記端末が前記第１のアプリケーションインタフェースを前記第１の画面及び前記第２の画面の一方に表示する段階と
を備える、表示制御方法。
【請求項２】
前記縦向き姿勢又は前記横向き姿勢は、０度から１８０度の範囲の前記第１の画面と前記第２の画面との間の夾角を含む、請求項１に記載の表示制御方法。
【請求項３】
前記端末は、前記第１の画面及び前記第２の画面に配置されたセンサを用いて、前記縦向き姿勢から前記横向き姿勢へ回転する、請求項１又は２に記載の表示制御方法。
【請求項４】
前記センサは、重力センサ、又は３次元センサを含む、請求項３に記載の表示制御方法。
【請求項５】
前記端末が横向き姿勢のときに、前記端末が前記第１のアプリケーションインタフェースを前記第１の画面及び前記第２の画面の一方に表示する段階は、前記端末が、前記第１のアプリケーションインタフェースを前記第１の画面及び前記第２の画面の一方に表示し、第２のアプリケーションインタフェースを前記第１の画面及び前記第２の画面の他方に表示する段階を備える、請求項１から４のいずれか一項に記載の表示制御方法。
【請求項６】
端末であって、
縦向き姿勢又は横向き姿勢を取得するように構成されたプロセッサと、
第１の画面と、
第２の画面と、
を備え、
前記第１の画面及び前記第２の画面は、前記端末が前記縦向き姿勢のときに、前記第１の画面及び前記第２の画面に第１のアプリケーションインタフェースを表示し、前記プロセッサが前記横向き姿勢の前記端末を取得しているときに前記第１の画面及び前記第２の画面の一方に前記第１のアプリケーションインタフェースを表示するように構成される、端末。
【請求項７】
前記縦向き姿勢又は前記横向き姿勢は、０度から１８０度の範囲の前記第１の画面と前記第２の画面との間の夾角を含む、請求項６に記載の端末。
【請求項８】
前記端末は、前記第１の画面及び前記第２の画面に配置されたセンサを用いて、前記縦向き姿勢から前記横向き姿勢へ回転する、請求項６又は７に記載の端末。
【請求項９】
前記センサは、重力センサ、又は３次元センサを含む、請求項８に記載の端末。
【請求項１０】
前記第１の画面及び前記第２の画面は、前記プロセッサが前記横向き姿勢の前記端末を取得しているときに、前記第１の画面及び前記第２の画面の一方に前記第１のアプリケーションインタフェースを表示し、前記第１の画面及び前記第２の画面の他方に第２のアプリケーションインタフェースを表示するように構成される、請求項６から９のいずれか一項に記載の端末。
【発明の詳細な説明】
【技術分野】
【０００１】
本願は表示技術の分野に関し、具体的には、マルチスクリーン端末用表示制御方法及び装置に関する。
【背景技術】
【０００２】
現在、スマートフォンや別の電子機器がマルチスクリーンを用いる傾向にある。さらに、これらの電子機器では、画面の種類がますます豊富になっている。従来の表示画面に加えて、折り畳み式画面、曲面画面、及びフレキシブルな画面が現れている。すでに、数種類の２画面折り畳み式携帯電話、例えば、フリップの前面及び後面にそれぞれ表示画面を持った折り畳み式携帯電話が市場で販売されている。異なる画面間での連携操作や連携表示を行ってユーザ体験を向上させるためには、マルチスクリーン端末に適用可能な表示制御方法が必要とされている。
【発明の概要】
【０００３】
本発明の実施形態がマルチスクリーン端末用表示制御方法及び装置を提供して、前述した先行技術の技術的課題を解決する。
【０００４】
第１の態様によれば、表示制御方法が提供される。本方法は、少なくとも第１の画面と第２の画面とを含む端末に適用され、本方法は、第１の画面及び第２の画面の向きと表示状況とを端末が取得する段階と、トリガイベントが生じたときに、第１の画面及び第２の画面の向きと表示状況とに基づいて、調整された表示コンテンツを第１の画面及び第２の画面に端末が表示する段階であって、トリガイベントは、端末をトリガして第１の画面及び第２の画面の表示状況を調整するのに用いられる、段階とを含む。端末画面の向きと表示状況とを取得することで、トリガイベントが生じたときに、端末は画面の表示状況をタイムリーに調整することができるので、ユーザは、異なる画面間で連携操作及び連携表示を行うことができる。
【０００５】
第１の態様の実行可能な設計例では、端末の第１の画面及び第２の画面の向きを端末が取得する段階は、第１の画面及び第２の画面の相対的な位置状況を端末が取得する段階を含む。したがって、端末は、画面の相対的な位置状況及び姿勢、並びにユーザが使用している画面を判定することができる。
【０００６】
第１の態様の実行可能な設計例では、相対的な位置状況は、第１の位置状況及び第２の位置状況を含む。第１の位置状況では、第１の画面及び第２の画面は並んで同じ方向を向いており、第２の位置状況では、第１の画面及び第２の画面は背中合わせに重なっている。したがって、端末は、２つの異なる相対的な位置状況で用いることができ、これらの相対的な位置状況を切り替えることができる。
【０００７】
第１の態様の実行可能な設計例では、端末の第１の画面及び第２の画面の向きを端末が取得する段階は、第１の画面及び第２の画面に配置されたセンサを用いて、相対的な位置状況を端末が取得する段階を含む。したがって、端末は、第１の画面及び第２の画面の相対的な位置状況を取得することができる。
【０００８】
第１の態様の実行可能な設計例では、センサは、重力センサ、光学式近接センサ、又は重力センサと光学式近接センサとの組み合わせを含む。したがって、端末は、第１の画面及び第２の画面の相対的な位置状況を複数の方式で取得することができる。
【０００９】
第１の態様の実行可能な設計例では、第１の画面及び第２の画面の表示状況は、第１の画面及び第２の画面のオン／オフ状態と表示コンテンツとを含む。
【００１０】
第１の態様の実行可能な設計例では、トリガイベントは、第１の画面及び第２の画面の向きの変化、事前設定されたユーザ操作、及び事前設定されたアプリケーションアクティビティのうちの少なくとも１つのイベントを含む。トリガイベントを用いて、端末はタイムリーに応答して、画面の表示状況及び表示コンテンツを調整することができる。
【００１１】
第１の態様の実行可能な設計例では、事前設定されたユーザ操作は、事前設定された領域で行われる操作、及び事前設定されたジェスチャを用いて行われる操作のうちの少なくとも１つの方式を含む。したがって、端末は、事前設定されたユーザ操作に応答して、画面の表示状況及び表示コンテンツを調整することができる。
【００１２】
第１の態様の実行可能な設計例では、第１の画面又は第２の画面は、表示画面であるか又は表示画面の部分的な表示領域である。
【００１３】
第１の態様の実行可能な設計例では、表示画面はフレキシブルな表示画面を含む。
【００１４】
第２の態様によれば、端末が提供される。本端末は、少なくとも第１の画面及び第２の画面を含む。本端末はさらに、第１の画面及び第２の画面の向き及び表示状況を取得するように構成された取得モジュールと、トリガイベントが生じたときに、第１の画面及び第２の画面の向きと表示状況とに基づいて、調整された表示コンテンツを第１の画面及び第２の画面に表示するように構成された表示モジュールであって、トリガイベントは、端末をトリガして第１の画面及び第２の画面の表示状況を調整するのに用いられる、表示モジュールとを含む。端末画面の向き及び表示状況を取得することで、トリガイベントが生じたときに、端末は画面の表示状況をタイムリーに調整することができるので、ユーザは、異なる画面間で連携操作及び連携表示を行うことができる。
【００１５】
第２の態様の実行可能な設計例では、取得モジュールはさらに、第１の画面及び第２の画面の相対的な位置状況を取得するように構成される。したがって、端末は、これらの画面の相対的な位置状況及び姿勢、並びにユーザが使用している画面を判定することができる。
【００１６】
第２の態様の実行可能な設計例では、相対的な位置状況は、第１の位置状況及び第２の位置状況を含む。第１の位置状況では、第１の画面及び第２の画面は並んで同じ方向を向いており、第２の位置状況では、第１の画面及び第２の画面は背中合わせに重なっている。したがって、端末は、２つの異なる相対的な位置状況で用いることができ、これらの相対的な位置状況を切り替えることができる。
【００１７】
第２の態様の実行可能な設計例では、取得モジュールはさらに、第１の画面及び第２の画面に配置されたセンサを用いて、相対的な位置状況を取得するように構成される。したがって、端末は、第１の画面及び第２の画面の相対的な位置状況を取得することができる。
【００１８】
第２の態様の実行可能な設計例では、センサは、重力センサ、光学式近接センサ、又は重力センサと光学式近接センサとの組み合わせを含む。したがって、端末は、第１の画面及び第２の画面の相対的な位置状況を複数の方式で取得することができる。
【００１９】
第２の態様の実行可能な設計例では、第１の画面及び第２の画面の表示状況は、第１の画面及び第２の画面のオン／オフ状態と表示コンテンツとを含む。
【００２０】
第２の態様の実行可能な設計例では、トリガイベントは、第１の画面及び第２の画面の向きの変化、事前設定されたユーザ操作、及び事前設定されたアプリケーションアクティビティのうちの少なくとも１つのイベントを含む。トリガイベントを用いて、端末はタイムリーに応答して、画面の表示状況及び表示コンテンツを調整することができる。
【００２１】
第２の態様の実行可能な設計例では、事前設定されたユーザ操作は、事前設定された領域で行われる操作、及び事前設定されたジェスチャを用いて行われる操作のうちの少なくとも１つの方式を含む。したがって、端末は、事前設定されたユーザ操作に応答して、画面の表示状況及び表示コンテンツを調整することができる。
【００２２】
第２の態様の実行可能な設計例では、第１の画面又は第２の画面は、表示画面であるか又は表示画面の部分的な表示領域である。
【００２３】
第２の態様の実行可能な設計例では、表示画面はフレキシブルな表示画面を含む。
【００２４】
第３の態様によれば、端末が提供される。本端末は、プロセッサと、メモリと、少なくとも第１の画面及び第２の画面と、センサとを含む。プロセッサは、第１の画面及び第２の画面の向きと表示状況とを取得し、トリガイベントが生じたときに、第１の画面及び第２の画面の向きと表示状況とに基づいて、調整された表示コンテンツを第１の画面及び第２の画面に表示するように構成され、トリガイベントは、端末をトリガして第１の画面及び第２の画面の表示状況を調整するのに用いられる。端末画面の向き及び表示状況を取得することで、トリガイベントが生じたときに、端末は画面の表示状況をタイムリーに調整することができるので、ユーザは、異なる画面間で連携操作及び連携表示を行うことができる。
【００２５】
第３の態様の実行可能な設計例では、プロセッサはさらに、第１の画面及び第２の画面の相対的な位置状況を取得するように構成される。したがって、端末は、これらの画面の相対的な位置状況及び姿勢、並びにユーザが使用している画面を判定することができる。
【００２６】
第３の態様の実行可能な設計例では、相対的な位置状況は、第１の位置状況及び第２の位置状況を含む。第１の位置状況では、第１の画面及び第２の画面は並んで同じ方向を向いており、第２の位置状況では、第１の画面及び第２の画面は背中合わせに重なっている。したがって、端末は、２つの異なる相対的な位置状況で用いることができ、これらの相対的な位置状況を切り替えることができる。
【００２７】
第３の態様の実行可能な設計例では、プロセッサはさらに、第１の画面及び第２の画面に配置されたセンサを用いて、相対的な位置状況を取得するように構成される。したがって、端末は、第１の画面及び第２の画面の相対的な位置状況を取得することができる。
【００２８】
第３の態様の実行可能な設計例では、センサは、重力センサ、光学式近接センサ、又は重力センサと光学式近接センサとの組み合わせを含む。したがって、端末は、第１の画面及び第２の画面の相対的な位置状況を複数の方式で取得することができる。
【００２９】
第３の態様の実行可能な設計例では、第１の画面及び第２の画面の表示状況は、第１の画面及び第２の画面のオン／オフ状態と表示コンテンツとを含む。
【００３０】
第３の態様の実行可能な設計例では、トリガイベントは、第１の画面及び第２の画面の向きの変化、事前設定されたユーザ操作、及び事前設定されたアプリケーションアクティビティのうちの少なくとも１つのイベントを含む。トリガイベントを用いて、端末はタイムリーに応答して、画面の表示状況及び表示コンテンツを調整することができる。
【００３１】
第３の態様の実行可能な設計例では、事前設定されたユーザ操作は、事前設定された領域での操作、及び事前設定されたジェスチャの操作のうちの少なくとも１つの方式を含む。したがって、端末は、事前設定されたユーザ操作に応答して、画面の表示状況及び表示コンテンツを調整することができる。
【００３２】
第３の態様の実行可能な設計例では、第１の画面又は第２の画面は、表示画面であるか又は表示画面の部分的な表示領域である。
【００３３】
第３の態様の実行可能な設計例では、表示画面はフレキシブルな表示画面を含む。
【００３４】
第４の態様によれば、命令を含むコンピュータ可読記憶媒体が提供される。命令は、コンピュータで実行されると、第１の態様による方法をコンピュータが実行することを可能にする。
【００３５】
第５の態様によれば、命令を含むコンピュータプログラム製品が提供される。命令は、コンピュータで実行されると、第１の態様による方法をコンピュータが実行することを可能にする。
【００３６】
本発明の実施形態において提供される技術的解決手段によれば、画面の向き、表示状況、及び表示コンテンツを調整するのに用いられるトリガイベントが生じたときに、端末は、画面の向き、表示状況、及び表示コンテンツに基づいて、表示状況及び表示コンテンツをタイムリーに調整することができるので、ユーザは、異なる画面間で連携操作及び連携表示を行うことができ、これにより、ユーザ体験が向上する。
【図面の簡単な説明】
【００３７】
本発明の実施形態をより明確に説明するために、以下では、実施形態を説明するのに必要な添付図面を簡潔に説明する。以下の説明にある添付図面は、本発明のほんの一部の実施形態を示しているだけであり、それでも当業者であれば、創造的努力をすることなく、これらの添付図面から別の図面を導き出し得ることは明らかである。
【００３８】
【図１】本発明の一実施形態による第１の端末の概略構造図である。
【００３９】
【図２】本発明の一実施形態による端末の概略構造図である。
【００４０】
【図３】本発明の一実施形態による端末画面の相対的な位置状況についての概略図である。
【００４１】
【図４】本発明の一実施形態による表示制御方法のフローチャートである。
【００４２】
【図５】本発明の一実施形態による端末画面の第１の相対的な位置状況についての概略図である。
【００４３】
【図６】本発明の一実施形態による端末画面の第２の相対的な位置状況についての概略図である。
【００４４】
【図７】本発明の一実施形態による、第１のシナリオでの第１の表示解決手段の概略図である。
【００４５】
【図８】本発明の一実施形態による、第１のシナリオでの第２の表示解決手段の概略図である。
【００４６】
【図９】本発明の一実施形態による、第１のシナリオでの第３の表示解決手段の概略図である。
【００４７】
【図１０Ａ】本発明の一実施形態による、第２のシナリオでの第１の表示解決手段の概略図である。
【図１０Ｂ】本発明の一実施形態による、第２のシナリオでの第１の表示解決手段の概略図である。
【００４８】
【図１１Ａ】本発明の一実施形態による、第２のシナリオでの第２の表示解決手段の概略図である。
【図１１Ｂ】本発明の一実施形態による、第２のシナリオでの第２の表示解決手段の概略図である。
【００４９】
【図１２Ａ】本発明の一実施形態による、第２のシナリオでの第３の表示解決手段の概略図である。
【図１２Ｂ】本発明の一実施形態による、第２のシナリオでの第３の表示解決手段の概略図である。
【００５０】
【図１３Ａ】本発明の一実施形態による、第２のシナリオでの第４の表示解決手段の概略図である。
【図１３Ｂ】本発明の一実施形態による、第２のシナリオでの第４の表示解決手段の概略図である。
【００５１】
【図１４Ａ】本発明の一実施形態による、第３のシナリオでの第１の表示解決手段の概略図である。
【図１４Ｂ】本発明の一実施形態による、第３のシナリオでの第１の表示解決手段の概略図である。
【００５２】
【図１５Ａ】本発明の一実施形態による、第３のシナリオでの第２の表示解決手段の概略図である。
【図１５Ｂ】本発明の一実施形態による、第３のシナリオでの第２の表示解決手段の概略図である。
【００５３】
【図１６Ａ】本発明の一実施形態による、第３のシナリオでの第３の表示解決手段の概略図である。
【図１６Ｂ】本発明の一実施形態による、第３のシナリオでの第３の表示解決手段の概略図である。
【００５４】
【図１７】本発明の一実施形態による第２の端末の概略構造図である。
【００５５】
【図１８】本発明の一実施形態による第３の端末の概略構造図である。
【発明を実施するための形態】
【００５６】
本発明の実施形態は、添付図面を参照して以下に説明される。
【００５７】
明確にするために、以下の用語を定義する。
【００５８】
本発明の実施形態において「画面」に言及する場合、他に規定がなければ、「画面」は表示画面の全ての表示領域を表してもよく、又は表示画面の部分的な表示領域を表してもよい。例えば、端末がフレキシブルな表示画面を用いる。フレキシブルな表示画面は折り畳まれてよく、表示領域が屈曲部の両側に配置され、異なるコンテンツを別々に表示することができる。したがって、フレキシブルな表示画面は、少なくとも２つの部分的な表示領域を屈曲部の両側に含む。この場合、それぞれの部分的な表示領域は「画面」と呼ばれることがある。
【００５９】
「前面」及び「後面」に言及する場合、他に規定がなければ、「前面」はユーザと向き合う端末の表面を表し、「後面」はユーザから離れた端末の表面を表す。
【００６０】
「表示面」及び「非表示面」に言及する場合、他に規定がなければ、「表示面」は、コンテンツを表示できるか又はユーザ操作を行うことができる表示画面の表面を表してよく、また「非表示面」は、コンテンツを表示することもユーザ操作を行うこともできない表示画面の表面を表してよく、この表面は通常、表示画面の背面カバー又は背面ハウジングである。曖昧さがない場合、説明を簡潔にするために、「画面の表示面」は「画面」とも呼ばれることがある。
【００６１】
言及される「第１の」及び「第２の」などの序数は、その序数が文脈に従って確実に順序を示す場合を除き、単に区別する目的を果たすことになる。
【００６２】
本発明の実施形態における表示制御方法及び装置が、複数の画面と複数のアプリケーションとを有するあらゆる端末に適用されてよい。本装置は、処理機能を有し且つ端末に実装されているハードウェア、ソフトウェア、又はソフトウェアとハードウェアとの組み合わせであってよい。本端末は、セルフォン若しくは携帯電話、タブレット型パーソナルコンピュータ（Ｔａｂｌｅｔ  Ｐｅｒｓｏｎａｌ  Ｃｏｍｐｕｔｅｒ、ＴＰＣ）、ラップトップコンピュータ（Ｌａｐｔｏｐ  Ｃｏｍｐｕｔｅｒ）、デジタルカメラ、投射装置、ウェアラブルデバイス（Ｗｅａｒａｂｌｅ  Ｄｅｖｉｃｅ）、携帯情報端末（Ｐｅｒｓｏｎａｌ  Ｄｉｇｉｔａｌ  Ａｓｓｉｓｔａｎｔ、ＰＤＡ）、電子書籍リーダ（ｅ−Ｂｏｏｋ  Ｒｅａｄｅｒ）、仮想現実インテリジェントデバイス、デジタル放送端末、メッセージ送受信機、ゲームコンソール、医療機器、健康器具、又はスキャナなどの端末であってよい。本端末は、２Ｇ、３Ｇ、４Ｇ、５Ｇ、又は無線ローカルエリアネットワーク（Ｗｉｒｅｌｅｓｓ  Ｌｏｃａｌ  Ａｃｃｅｓｓ  Ｎｅｔｗｏｒｋ、ＷＬＡＮ）を介してネットワークと通信してよい。
【００６３】
本発明の実施形態では、携帯電話が端末の一例として説明に用いられる。図１は、本発明の実施形態に関連した携帯電話１００の部分構造のブロック図である。図１に示すように、携帯電話１００は、無線周波数（Ｒａｄｉｏ  Ｆｒｅｑｕｅｎｃｙ、ＲＦ）回路１１０、メモリ１２０、入力装置１３０、表示画面１４０、センサ１５０、可聴周波数回路１６０、入力／出力（Ｉｎｐｕｔ／Ｏｕｔｐｕｔ、Ｉ／Ｏ）サブシステム１７０、プロセッサ１８０、及び電源１９０などの構成要素を含む。当業者であれば、図１に示す端末構造体は実装の一例として用いられているだけであり、端末に制約を課すものではないことを理解するであろう。本端末は、図に示す構成要素より多い若しくはより少ない構成要素を含んでもよく、いくつかの構成要素を組み合わせてもよく、異なる構成要素配置を有してもよい。
【００６４】
ＲＦ回路１１０は、情報送受信プロセス又は通話プロセスにおいて信号を送受信するように、具体的には、基地局のダウンリンク情報を受信した後にダウンリンク情報を処理のためにプロセッサ１８０に送信し、関連するアップリンクデータを基地局に送信するように構成されてよい。一般に、ＲＦ回路は、限定されるものではないが、アンテナ、少なくとも１つの増幅器、送受信機、カプラ、低雑音増幅器（Ｌｏｗ  Ｎｏｉｓｅ  Ａｍｐｌｉｆｉｅｒ、ＬＮＡ）、及びデュプレクサなどを含む。また、ＲＦ回路１１０はさらに、無線通信を介してネットワーク及び別のデバイスと通信してよい。無線通信は、限定されるものではないが、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、ロングタームエボリューション（Ｌｏｎｇ  Ｔｅｒｍ  Ｅｖｏｌｕｔｉｏｎ、ＬＴＥ）、電子メール、及びショートメッセージサービス（Ｓｈｏｒｔ  Ｍｅｓｓａｇｉｎｇ  Ｓｅｒｖｉｃｅ、ＳＭＳ）などを含む任意の通信規格又はプロトコルを用いてよい。
【００６５】
メモリ１２０は、ソフトウェアプログラム及びモジュールを格納するように構成されてよい。プロセッサ１８０は、メモリ１２０に格納されているソフトウェアプログラム及びモジュールを起動することで、携帯電話１００の様々な機能アプリケーション及びデータ処理を実行する。メモリ１２０は、プログラム記憶領域及びデータ記憶領域を含んでよい。プログラム記憶領域は、オペレーティングシステム、及び少なくとも１つの機能（サウンド再生機能又はイメージ再生機能など）が必要とするアプリケーションなどを格納してよい。データ記憶領域は、携帯電話１００の使用に基づいて作成されたデータ（オーディオデータ、ビデオデータ、又は住所録など）などを格納してよい。さらに、メモリ１２０は、不揮発性ダイナミックランダムアクセスメモリ（Ｎｏｎｖｏｌａｔｉｌｅ  Ｒａｎｄｏｍ  Ａｃｃｅｓｓ  Ｍｅｍｏｒｙ、ＮＶＲＡＭ）、相変化ランダムアクセスメモリ（Ｐｈａｓｅ  Ｃｈａｎｇｅ  ＲＡＭ、ＰＲＡＭ）、又は磁気抵抗ランダムアクセスメモリ（Ｍａｇｎｅｔｏｒｅｓｉｓｔｉｖｅ  ＲＡＭ、ＭＲＡＭ）などの揮発性メモリを含んでもよく、少なくとも１つの磁気ディスク記憶装置、電気的消去可能プログラム可能型リードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、フラッシュメモリデバイス（ＮＯＲ型フラッシュメモリ（ＮＯＲ  ｆｌａｓｈ  ｍｅｍｏｒｙ）又はＮＡＮＤ型フラッシュメモリ（ＮＡＮＤ  ｆｌａｓｈ  ｍｅｍｏｒｙ）など）、又は半導体（ソリッドステートディスク（Ｓｏｌｉｄ  Ｓｔａｔｅ  Ｄｉｓｋ，  ＳＳＤ）など）などの不揮発性メモリを含んでもよい。
【００６６】
入力装置１３０は、入力された数値情報又は文字情報を受信し、携帯電話１００のユーザ設定及び機能制御に関連したキー信号入力を生成するように構成されてよい。具体的には、入力装置１３０は、タッチパネル１３１と別の入力デバイス１３２とを含んでよい。タッチパネル１３１は、タッチスクリーンとも呼ばれ、ユーザがタッチパネルに又はタッチパネルの近くで行うタッチ操作（例えば、指又はスタイラスなどの任意の好適な物体又は付属物を用いて、ユーザがタッチパネル１３１に又はタッチパネル１３１の近くで行う操作）を収集してよく、また事前設定したプログラムに基づいて、対応する連結装置を駆動してもよい。任意選択で、タッチパネル１３１は、タッチ検出装置及びタッチコントローラという２つの部分を含んでよい。タッチ検出装置は、ユーザのタッチ位置を検出し、タッチ操作によってもたらされる信号を検出し、当該信号をタッチコントローラに伝送する。タッチコントローラは、タッチ検出装置からタッチ情報を受信し、当該タッチ情報をタッチポイント座標に変換し、当該タッチポイント座標をプロセッサ１８０に送信し、またプロセッサ１８０により送信されるコマンドを受信して実行することができる。さらに、タッチパネル１３１は、抵抗型、静電容量型、赤外線、及び表面弾性波などの複数の種類を用いて実装されてよい。タッチパネル１３１に加えて、入力装置１３０はさらに別の入力デバイス１３２を含んでよい。具体的には、別の入力デバイス１３２は、限定されるものではないが、物理キーボード、ファンクションキー（音量調節キー又はオン／オフキーなど）、トラックボール、マウス、及びジョイスティックなどのうちの１つ又は複数を含んでよい。
【００６７】
表示画面１４０は、ユーザが入力した情報又はユーザに提供される情報、及び携帯電話１００の様々なインタフェースを表示するように構成されてよい。表示画面１４０は表示パネル１４１を含んでよい。任意選択で、表示パネル１４１は、液晶ディスプレイ（Ｌｉｑｕｉｄ  Ｃｒｙｓｔａｌ  Ｄｉｓｐｌａｙ、ＬＣＤ）、薄膜トランジスタＬＣＤ（Ｔｈｉｎ  Ｆｉｌｍ  Ｔｒａｎｓｉｓｔｏｒ  ＬＣＤ、ＴＦＴ−ＬＣＤ）、発光ダイオード（Ｌｉｇｈｔ  Ｅｍｉｔｔｉｎｇ  Ｄｉｏｄｅ、ＬＥＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）、フレキシブルな表示画面、又は感圧タッチ式表示画面などの形態で構成されてよい。さらに、タッチパネル１３１は表示パネル１４１を覆ってよい。タッチパネル１３１は、タッチパネル１３１で又はタッチパネル１３１の近くでタッチ操作を検出すると、タッチイベントの種類を判定するために当該タッチ操作をプロセッサ１８０に伝達し、次にプロセッサ１８０は、タッチイベントの種類に基づいて、対応する視覚出力を表示パネル１４１に提供する。図１のタッチパネル１３１及び表示パネル１４１は、携帯電話１００の入力機能及び出力機能を実装する２つの個別の構成要素として用いられているが、一部の実施形態では、タッチパネル１３１及び表示パネル１４１は統合されて、携帯電話１００の入力機能及び出力機能を実装してもよい。表示画面１４０は、コンテンツを表示するように構成されてよく、当該コンテンツは、ユーザインタフェース（Ｕｓｅｒ  Ｉｎｔｅｒｆａｃｅ、ＵＩ）又はグラフィカルユーザインタフェース（Ｇｒａｐｈｉｃａｌ  Ｕｓｅｒ  Ｉｎｔｅｒｆａｃｅ、ＧＵＩ）、例えば、端末の起動インタフェース及びアプリケーションのユーザインタフェースを含む。コンテンツはさらに、情報及びデータを含んでよい。表示画面１４０は、ディスプレイコントローラ１７３に連結される。ディスプレイコントローラ１７３は、表示画面１４０に表示されている又は表示されるコンテンツ、例えば、システムデスクトップ又はアプリケーションインタフェースを処理し、表示データを生成し、当該表示データを表示のために表示画面１４０に送信してよい。複数の表示画面１４０がある場合、ディスプレイコントローラ１７３は、対応する表示データを異なる画面用に別々に生成し、当該表示データを表示のためにそれぞれの表示画面１４０に割り当てる。表示画面１４０は、端末の内蔵画面であっても、別の外部表示装置であってもよい。
【００６８】
センサ１５０は、少なくとも１つの光学センサ、モーションセンサ、位置センサ、ホール効果センサ、及び別のセンサを含む。具体的には、光学センサは、照度センサ及び近接センサを含んでよい。照度センサは、環境光の輝度を取得してよい。近接センサは、携帯電話１００が耳に接近したときに、表示パネル１４１及び／又はバックライトを消してよい。モーションセンサは、全方向（一般に３軸）の加速度の大きさを検出し得る加速度センサを含んでよい。加速度センサが静止しているとき、加速度センサは重力の大きさ及び方向を検出してよく、携帯電話の姿勢アプリケーション（横向きと縦向きの切り替え、関連するゲーム、及び磁力計による姿勢キャリブレーションなど）、及び振動認識関連の機能（歩数計及びストローク計など）などを認識するように構成されてよい。位置センサは、端末の地理的位置の座標を取得するように構成されてよい。地理的位置の座標は、全地球測位システム（Ｇｌｏｂａｌ  Ｐｏｓｉｔｉｏｎｉｎｇ  Ｓｙｓｔｅｍ、ＧＰＳ）、コンパス（ＣＯＭＰＡＳＳ）システム、グロナス（ＧＬＯＮＡＳＳ）システム、及びガリレオ（ＧＡＬＩＬＥＯ）システムなどを用いて取得されてよい。位置センサは代替的に、Ｗｉ−Ｆｉ若しくはＢｌｕｅｔｏｏｔｈ（登録商標）などのモバイルオペレーションネットワーク若しくはローカルエリアネットワークの基地局を用いて、又は前述の測位方式を包括的に用いて測位を行い、より正確な携帯電話の位置情報を取得してよい。ホール効果センサは、近くの磁場が変化したときに、例えば、オンからオフに又はオフからオンに状況を変更してよい。ホール効果センサと磁石との組み合わせが、２つの構成要素の近接状況を検出するのに、例えば、携帯電話１００の２つの画面が近いかどうか、又は２つの画面の縁が近いかどうかを検出するのに用いられてよい。ジャイロスコープ、気圧計、湿度計、温度計、赤外線センサ、及び他のセンサがさらに、携帯電話１００用に構成されてよい。詳細はここで説明しない。
【００６９】
可聴周波数回路１６０、スピーカ１６１、マイク１６２（マイクロフォンとも呼ばれ）が、ユーザと携帯電話１００との間のオーディオインタフェースを提供してよい。可聴周波数回路１６０は、オーディオデータから変換されて受信した電気信号をスピーカ１６１に伝送してよく、スピーカ１６１は、出力のために電気信号を音響信号に変換する。さらに、マイク１６２は、収集した音響信号を電気信号に変換する。可聴周波数回路１６０は、電気信号を受信してオーディオデータに変換し、次いで当該オーディオデータを処理のためにプロセッサ１８０に出力する。プロセッサ１８０は、処理されたオーディオデータを、例えば、ＲＦ回路１１０を用いて別の端末に送信するか、又はオーディオデータをさらに処理するためにメモリ１２０に出力する。
【００７０】
Ｉ／Ｏサブシステム１７０は、システムの様々な種類の情報又はデータを入力又は出力するように構成されてよい。Ｉ／Ｏサブシステム１７０は、入力装置コントローラ１７１、センサコントローラ１７２、ディスプレイコントローラ１７３を含む。Ｉ／Ｏサブシステム１７０は、前述のコントローラを用いて、入力装置１３０、センサ１５０、及び表示画面１４０により送信される様々な種類のデータを受信し、制御命令を送信することで前述の構成要素を制御する。
【００７１】
プロセッサ１８０は、携帯電話１００のコントロールセンタであり、携帯電話全体の全ての部分を連結する様々なインタフェース及び配線を用い、メモリ１２０に格納されたソフトウェアプログラム及び／又はモジュールを起動又は実行し、メモリ１２０に格納されたデータを呼び出すことで、携帯電話１００の様々な機能及びデータ処理を実行し、携帯電話に対して全般的な監視を行う。プロセッサ１８０は、中央演算処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）若しくは別のプログラム可能な論理デバイス、トランジスタ論理デバイス、ハードウェアデバイス、又はこれらの任意の組み合わせであってよい。プロセッサ１８０は、本願において開示される内容を参照して説明される様々な例示的な論理ブロック、モジュール、及び回路を実装又は実行してよい。あるいは、プロセッサ１８０は、コンピュータ処理機能を実装するための組み合わせ、例えば、１つ若しくは複数のマイクロプロセッサの組み合わせ、又はＤＳＰとマイクロプロセッサとの組み合わせであってよい。任意選択で、プロセッサ１８０は、１つ又は複数のプロセッサ装置を含んでよい。任意選択で、アプリケーションプロセッサとモデムプロセッサとがプロセッサ１８０に統合されてよく、アプリケーションプロセッサは主に、オペレーティングシステム、ユーザインタフェース、及びアプリケーションなどを処理し、モデムプロセッサは主に、無線通信を処理する。モデムプロセッサは代替的に、プロセッサ１８０に統合されなくてもよいことが理解されるであろう。
【００７２】
アプリケーションは、携帯電話１００にインストールされる任意のアプリケーションを含み、これらのアプリケーションには、限定されるものではないが、ブラウザ、電子メール、インスタントメッセージサービス、文書作成処理、仮想キーボード、ウィジェット（Ｗｉｄｇｅｔ）、暗号化、デジタル著作権管理、音声認識、音声再生、測位（例えば、ＧＰＳにより提供される機能）、及び音楽再生などが含まれる。
【００７３】
携帯電話１００はさらに、各構成要素に電力を供給する電源１９０（バッテリなど）を含む。任意選択で電源は、電力管理システムを用いてプロセッサ１８０に論理的に連結され、当該電力管理システムを用いて充放電管理及び電力消費管理などの機能が実装されてよい。
【００７４】
図示されていないが、携帯電話１００はさらに、Ｗｉ−Ｆｉモジュール及びＢｌｕｅｔｏｏｔｈ（登録商標）などの短距離無線伝送の構成要素を含んでよいことに留意されたい。詳細はここで説明しない。
【００７５】
２画面端末が、本発明の一実施形態において提供される端末の外部構造を説明するために、図２及び図３を参照して以下で一例として用いられる。本発明の本実施形態において提供される端末は、２画面端末に限定されるものではなく、代替的により多くの画面を有する端末であってもよいことが理解されるであろう。
【００７６】
図２は、本発明の一実施形態による端末の外部構造の概略図である。端末１００が、代替的に第１の画面１１０及び第２の画面１２０と呼ばれる２つの画面１１０及び１２０を含む。２つの画面１１０及び１２０の画面の材料、サイズ及び解像度などの物理パラメータが、同じであってもよく、又は異なっていてもよい。２つの画面１１０及び１２０は、連結構造体１３０を用いて連結される。連結構造体１３０は、単軸ヒンジ、磁気連結構造体、及び２Ｄヒンジを含んでよい。
【００７７】
連結構造体１３０が単軸ヒンジの場合、図２の（Ａ）に示すように、単軸ヒンジは２つのヒンジ部を含み、一方が第１の画面１１０の側縁部に配置され、もう一方が第２の画面１２０の側縁部に配置される。この単軸ヒンジは、任意の既知の単軸ヒンジ型であってよい。端末１００の第１の画面１１０及び第２の画面１２０は、向かい合わせに配置されており、２つの画面の表示面が互いに隣接して、２つの画面の表示面の間に夾角を形成する。第２の画面１２０が単軸ヒンジの周りを第１の画面１１０に対して反転すると、夾角は０°から３６０°の範囲で変化し得る。
【００７８】
連結構造体１３０が磁気連結構造体の場合、図２の（Ｂ）に示すように、第１の画面１１０及び第２の画面１２０は互いに連結又は分離され得る。磁気連結構造体は、少なくとも２つのグループの磁石を含み、一方のグループの磁石が第１の画面１１０の側縁に配置され、もう一方のグループの磁石が第２の画面１２０の側縁の対応する位置に配置される。２つの側縁が互いに接近すると２つの画面が互いに連結され、２つの側縁が離れると、２つの画面が互いに分離される。任意選択で、２つの画面の配置に役立つ位置決め構造体がさらに、２つの側縁に配置されてよく、例えば、凸部が一方の側縁に配置され、凹部がもう一方の側縁の相対的な位置に配置される。この磁気連結構造体は、任意の既知の磁気連結構造型であってよい。第１の画面１１０及び第２の画面１２０が向かい合わせに配置されている場合、端末構造体が、単軸ヒンジの場合の端末構造体と同様になる。第１の画面１１０及び第２の画面１２０が同じ方向に配置されている場合、一方の画面の表示面がもう一方の画面の非表示面に隣接する。
【００７９】
連結構造体１３０が２Ｄヒンジの場合、図２の（Ｃ）に示すように、２Ｄヒンジは、２つの互いに直交する回転軸を含み、一方の回転軸が第１の画面１１０の側縁に連結され、もう一方の回転軸が第２の画面１２０の側縁の対応する位置に連結される。この２Ｄヒンジは、任意の既知の２Ｄヒンジ型であってよい。２Ｄヒンジを用いることで、第２の画面１２０は、図の水平軸の周りを第１の画面１１０に対して回転してもよく、又は図の鉛直軸の周りを第１の画面１１０に対して回転してもよい。したがって、２つの画面１１０及び１２０は向かい合わせに配置されてもよく、又は同じ方向に配置されてもよい。
【００８０】
２つの画面１１０及び１２０の間で、データが有線伝送又は無線伝送を介して伝送されてよい。有線伝送では、様々なデータケーブルを用いて、又は電子接点若しくはインタフェースを連結構造体１３０に配置することで、データ伝送が行われてよい。無線伝送が、様々な無線通信プロトコル、例えば、ＷｉＦｉ、ＷｉＦｉ−ｄｉｒｅｃｔ、Ｂｌｕｅｔｏｏｔｈ（登録商標）、又は近距離無線通信（Ｎｅａｒ  Ｆｉｅｌｄ  Ｃｏｍｍｕｎｉｃａｔｉｏｎ、ＮＦＣ）に基づくデータ伝送であってよい。
【００８１】
図３は、本発明の一実施形態による端末画面の相対的な位置状況についての概略図である。図２に示す端末の外部構造に基づいて、端末１００が少なくとも４つの相対的な位置状況、すなわち、図３の（Ａ）に示す第１の位置状況、図３の（Ｂ）に示す第２の位置状況、図３の（Ｃ）に示す第３の位置状況、及び図３の（Ｄ）に示す第４の位置状況を有してよい。前述の４つの相対的な位置状況はそれぞれ、端末の４つの用い方に対応しており、前述の４つの相対的な位置状況は具体的に以下で説明される。
【００８２】
第１の位置状況では、２つの画面１１０及び１２０が並んで配置され、両方とも端末の前面に位置している。言い換えれば、第１の画面１１０と第２の画面１２０との間の夾角は１８０°である。２つの画面１１０及び１２０は、単画面に対して拡張画面を構成し得る。拡張画面は、同じアプリケーションインタフェース、例えば、アプリケーションの２段メニュー、電子書籍の見開きコンテンツ、又は拡大された写真若しくは映像を表示してよい。あるいは、拡張画面は、複数のアプリケーションインタフェースを表示してもよい。例えば、２つの画面のそれぞれが、１つのアプリケーションインタフェースを表示する、又はより多くのアプリケーションインタフェースを表示する。
【００８３】
第２の位置状況では、２つの画面１１０及び１２０が折り畳まれており、一方の画面が端末の前面に位置し、もう一方の画面が端末の後面に位置している。例えば、第１の画面１１０が端末の前面に位置し、第２の画面１２０が端末の後面に位置している。言い換えれば、第１の画面１１０と第２の画面１２０との夾角が３６０°である。この場合、端末の前面にある画面は、コンテンツを表示しても、ユーザ操作を行ってもよく、もう一方の画面はオフになっても、スリープ状態になってもよい。画面がオフになると、画面は、いかなるコンテンツも表示せず、いかなるユーザ操作も行わない。画面がスリープ状態になると、画面はいかなるコンテンツも表示しないが、ユーザ操作を行ってよく、またユーザの制御命令を受信してよい。任意選択で、後面にある画面も要件に基づいて有効になり、コンテンツを表示しても、ユーザ操作を行ってもよい。
【００８４】
第３の位置状況では、２つの画面１１０及び１２０が折り畳まれている。一方の画面が端末の前面に位置し、もう一方の画面が折り畳まれており、もう一方の画面の非表示面が端末の後面に位置している。例えば、第１の画面１１０が端末の前面に位置し、第２の画面１２０の非表示面が端末の後面に位置している。言い換えれば、端末１００は一方の画面のみを用いる。この場合、端末１００は一般的な単画面端末に相当し、単画面端末の全ての機能を実装してよい。
【００８５】
第４の位置状況では、２つの画面１１０及び１２０が折り畳まれており、一方の画面の非表示面が端末の前面に位置し、もう一方の画面の非表示面が端末の後面に位置している。例えば、第１の画面１１０の非表示面が端末の前面に位置し、第２の画面１２０の非表示面が端末の後面に位置している。言い換えれば、端末１００の２つの画面は折り畳まれており、両画面とも使われていない。この場合、端末１００はスタンバイ状態又はシャットダウン状態にあり得る。
【００８６】
任意選択で、端末１００はさらに第５の位置状況を有してよい。第５の位置状況では、２つの画面１１０及び１２０が並んで配置され、一方の画面が端末の前面に位置し、もう一方の画面が端末の後面に位置している。例えば、第１の画面１１０が端末の前面に位置し、第２の画面１２０が端末の後面に位置している。第５の位置状況のケースは、第２の位置状況のケースと同様である。したがって、第２の位置状況の説明及び本願の関連内容を参照されたい。詳細は、ここで再度説明しない。
【００８７】
図２に示す端末の外部構造については、画面の連結構造体１３０が単軸ヒンジの場合、端末１００は第１の位置状況、第２の位置状況、及び第４の位置状況を有してよいことが理解されるであろう。画面の連結構造体が磁気連結構造体又は２Ｄヒンジの場合、端末１００は前述の第１から第５の位置状況を有してよい。
［実施形態１］
【００８８】
本発明の本実施形態において提供される表示制御方法が、図４〜図６を参照して説明される。図４は、本発明の一実施形態による表示制御方法のフローチャートである。本方法は、少なくとも第１の画面及び第２の画面を含む端末に適用され、本端末は、少なくとも第１の画面及び第２の画面を含む。本方法は、以下に挙げる段階を含む。
【００８９】
段階２０１：端末は、第１の画面及び第２の画面の向き及び表示状況を取得する。
【００９０】
段階２０２：トリガイベントが生じたときに、第１の画面及び第２の画面の向きと表示状況とに基づいて、端末は調整された表示コンテンツを第１の画面及び第２の画面に表示する。
【００９１】
段階２０１では、第１の画面及び第２の画面の向きは、画面の相対的な位置状況、画面姿勢、及び端末の前面にある画面を含む。
【００９２】
画面の相対的な位置状況は図３に示されている。詳細については、前述の説明を参照されたい。端末は、センサを用いて、第１の画面及び第２の画面の相対的な位置状況を取得してよい。センサは、光学式近接センサであってもよく、ホール効果センサであってもよく、この２つのセンサの組み合わせであってもよい。
【００９３】
ある例では、端末は、光学式近接センサを用いて、画面の相対的な位置状況を取得してよい。図５に示すように、光学式近接センサ１１１が第１の画面１１０の表示面に配置されてよく、また光学式近接センサ１１２が第１の画面１１０の非表示面に配置されてよい。光学式近接センサ１２１が第２の画面１２０の表示面に配置されてよく、また光学式近接センサ１２２が第２の画面１２０の非表示面に配置されてよい。光学式近接センサは、物体が接近しているかどうかを検出するように構成されてよい。したがって、端末は、光学式近接センサの検出結果を並べ替えたり組み合わせたりすることによって、２つの画面の相対的な位置状況を判定してよい。
【００９４】
表１は、光学式近接センサの検出結果と画面の相対的な位置状況との間の関係を示しており、「はい」は、物体が接近していることを光学式近接センサが検出したことを示し、「いいえ」は、物体が接近していないことを光学式近接センサが検出したことを示す。
【００９５】
具体的には、第１の位置状況では、どの光学式近接センサも遮られていない。したがって、光学式近接センサ１１１、１１２、１２１、及び１２２は、物体が接近していないことを検出している。
【００９６】
第２の位置状況では、光学式近接センサ１１２及び１２２は画面で遮られている。したがって、光学式近接センサ１１１及び１２１は、物体が接近していないことを検出し、光学式近接センサ１１２及び１２２は、物体が接近していることを検出している。
【００９７】
第３の位置状況では、光学式近接センサ１１２及び１２１は画面で遮られている。したがって、光学式近接センサ１１１及び１２２は、物体が接近していないことを検出し、光学式近接センサ１１２及び１２１は、物体が接近していることを検出している。
【００９８】
第４の位置状況では、光学式近接センサ１１１及び１２１は画面で遮られている。したがって、光学式近接センサ１１２及び１２２は、物体が接近していないことを検出し、光学式近接センサ１１１及び１２１は、物体が接近していることを検出している。
【表１】
0006947843.tif 000002
【００９９】
任意選択で、１つの光学式近接センサのみが、第２の画面１２０に配置されてよい。例えば、光学式近接センサ１２１は、第２の画面１２０の表示面に配置されてよく、又は光学式近接センサ１２２は第２の画面１２０の非表示面に配置されてよい。２つの画面の相対的な位置状況は、表１に示す光学式近接センサ１１１、１１２、及び１２１（又は１２２）の検出結果の並べ替え及び組み合わせに基づいて判定されてよい。
【０１００】
任意選択で、第１の画面１１０及び第２の画面１２０が単軸ヒンジを用いて連結されている場合、相対的な位置状況は、第１の位置状況、第２の位置状況、及び第４の位置状況のみを含む。したがって、光学式近接センサの数はさらに減らすことができる。例えば、光学式近接センサ１１１は第１の画面１１０の表示面に配置されてよく、また光学式近接センサ１１２は第１の画面１１０の非表示面に配置されてよい。２つの画面の相対的な位置状況は、表１に示す光学式近接センサ１１１及び１１２の検出結果の並べ替え及び組み合わせに基づいて判定されてよい。
【０１０１】
本発明の本実施形態では、画面の光学式近接センサの位置（例えば、画面の上部又は下部）が、実際の要件に基づいて設定されてよいことが理解されるであろう。これは、本願において限定されるものではない。
【０１０２】
別の例では、端末は、ホール効果センサを用いて、画面の相対的な位置状況を取得してよい。図６の（Ａ）に示すように、ホール効果センサ１１３及び１１４がヒンジに隣接する第１の画面１１０の側縁に配置されてよく、また磁石１２３がヒンジに隣接する第２の画面１２０の側縁に配置されてよい。第１の画面１１０及び第２の画面１２０が向かい合わせに配置されている場合、ホール効果センサ１１３は磁石１２３に近い。図６の（Ｂ）に示すように、第１の画面１１０及び第２の画面１２０が同じ方向に配置されている場合、ホール効果センサ１１４は磁石１２３に近い。
【０１０３】
さらに、ホール効果センサ１１５及び１１６が、ヒンジと反対側の位置にある第１の画面１１０の側縁に配置されてよく、また磁石１２５及び１２６がヒンジと反対側の位置にある第２の画面１２０の側縁に配置されてよい。さらに、ホール効果センサ１１５は第１の画面１１０の非表示面に位置し、磁石１２５は第２の画面１１０の非表示面に位置している。ホール効果センサ１１６は第１の画面１１０の表示面に位置し、磁石１２６は第２の画面１２０の表示面に位置している。
【０１０４】
ホール効果センサは、磁場が変化したときに、例えば、オンからオフに又はオフからオンに状況を変更してよい。例えば、ホール効果センサは、磁石が接近するとオフになる。端末は、ホール効果センサの状況の並べ替え及び組み合わせに基づいて、２つの画面の位置状況を判定してよい。
【０１０５】
表２は、ホール効果センサの状況と画面の相対的な位置状況との間の関係を示しており、「オン」は、ホール効果センサがオンであることを示し、「オフ」は、ホール効果センサがオフであることを示す。
【０１０６】
具体的には、第１の位置状況では、ホール効果センサ１１３は磁石１２３に近い。したがって、ホール効果センサ１１３はオフであり、ホール効果センサ１１４、１１５、及び１１６はオンである。
【０１０７】
第２の位置状況では、ホール効果センサ１１３は磁石１２３に近く、ホール効果センサ１１５は磁石１２５に近い。したがって、ホール効果センサ１１３及び１１５はオフであり、ホール効果センサ１１４及び１１６はオンである。
【０１０８】
第３の位置状況では、ホール効果センサ１１４は磁石１２３に近く、ホール効果センサ１１５は磁石１２６に近い。したがって、ホール効果センサ１１３及び１１６はオンであり、ホール効果センサ１１４及び１１５はオフである。
【０１０９】
第４の位置状況では、ホール効果センサ１１３は磁石１２３に近く、ホール効果センサ１１６は磁石１２６に近い。したがって、ホール効果センサ１１３及び１１６はオフであり、ホール効果センサ１１４及び１１５はオンである。
【表２】
0006947843.tif 000003
【０１１０】
任意選択で、ホール効果センサ１１５は第１の画面１１０の表示画面表面に位置してよく、また磁石１２５は第２の画面１１０の表示面に位置してよい。ホール効果センサ１１６は第１の画面１１０の非表示面に位置してよく、磁石１２６は第２の画面１２０の非表示面に位置してよい。
【０１１１】
任意選択で、第１の画面１１０及び第２の画面１２０が単軸ヒンジを用いて連結されている場合、２つの画面の位置状況は、第１の位置状況、第２の位置状況、及び第４の位置状況のみを含む。したがって、ホール効果センサの数を減らすことができる。例えば、ホール効果センサ１１５及び１１６は第１の画面１１０に配置されてよく、２つの画面の相対的な位置状況は、表２に示すホール効果センサ１１５及び１１６の状況の並べ替え及び組み合わせに基づいて判定されてよい。
【０１１２】
任意選択で、ホール効果センサ及び磁石の位置を入れ替えてもよく、画面上のホール効果センサ及び磁石の位置（例えば、上部又は下部）は、実際の要件に基づいて設定されてよい。これは、本願において限定されるものではない。さらに、ホール効果センサは、ホール効果センサが磁石に近いときにオンになるように設定されてもよい。
【０１１３】
いくつかの他の例では、光学式近接センサ及びホール効果センサはさらに、包括的に用いられてよい。端末は、光学式近接センサの検出結果と、ホール効果センサ状況の並べ替え及び組み合わせとに基づいて、２つの画面の相対的な位置状況を判定してよい。さらに、端末画面の相対的な位置関係も、既知の方法を用いて判定されてよく、詳細はここで説明しない。
【０１１４】
画面姿勢は、横向き配置及び縦向き配置を含む。横向きとは、端末画面の連結構造体が水平方向に配置されていることであってよく、縦向きとは、端末画面の連結構造体が鉛直方向に配置されていることであってよい。端末は、モーションセンサを用いて画面姿勢を取得してよい。モーションセンサは、重力センサ又はジャイロスコープを含む。端末の画面ジェスチャで、横向き配置と縦向き配置とを切り替えることができる。例えば、端末画面を横向き配置から縦向き配置に回転する。回転の過程で、端末は、モーションセンサを用いて端末の回転角を測定してよい。回転角が事前設定閾値を超えると、端末は、画面姿勢が縦向き配置に切り替わったと判定する。事前設定閾値は、実際の状況に基づいて決定されてよく、例えば、４５°に設定されてよい。
【０１１５】
任意選択で、端末が単軸ヒンジを連結に用いる場合、モーションセンサが一方の画面に配置され得るので、２つの画面はモーションセンサを共有して画面姿勢を取得する。
【０１１６】
任意選択で、端末が磁気連結構造体又は２Ｄヒンジを連結に用いる場合、モーションセンサが２つの画面のそれぞれに配置されて、２つの画面の画面姿勢を別々に取得してよい。
【０１１７】
ユーザにより現在用いられている画面（主画面とも呼ばれる）が、端末の前面にある画面、言い換えれば、ユーザと向き合っている画面であってよい。これに応じて、端末の後面にある画面が副画面と呼ばれることがある。端末は、カメラを用いて主画面を判定してもよく、又は画面の表示状況を用いて主画面を判定してもよい。
【０１１８】
主画面を判定する方法が、画面の相対的な位置状況を参照して以下に説明される。
【０１１９】
第１の位置状況では、端末は２つの画面を主画面と判定してよい。
【０１２０】
第３の位置状況では、端末は、２つの画面のうち外側に位置する画面を主画面と判定してよい。例えば、端末は、２つの画面の光学式近接センサに基づいて、外側に位置する画面を判定してよい。具体的には、物体が接近していることを光学式近接センサが常に検出している場合、当該光学式近接センサが属する画面が端末の内側に位置している。あるいは、物体が接近していないことを光学式近接センサが検出している場合、当該光学式近接センサが属する画面が端末の外側に位置している。
【０１２１】
第４の位置状況では、端末は、主画面を判定する必要がない。
【０１２２】
第２の位置状況では、端末は、以下に挙げる方式のうちのいずれか１つで主画面を判定してよい。
【０１２３】
ある例では、端末の２つの画面のそれぞれにカメラが配置されてよく、端末は、カメラを用いてユーザの顔を識別して、現在用いられている画面を判定する。例えば、ユーザが一方の画面を用いる場合、当該画面のカメラがユーザを識別し得る。したがって、端末は当該画面を主画面と判定し、もう一方の画面を副画面と判定する。ユーザは、既存の方法を用いてカメラにより識別されてよく、詳細はここで説明しない。
【０１２４】
別の例では、端末は、２つの画面のオン／オフ状況に基づいて、主画面を判定してよい。例えば、現在オン状態の画面が主画面であり、現在スリープ状態又はオフ状態の画面が副画面である。
【０１２５】
別の例では、端末は、２つの画面がロックされているかどうかに基づいて主画面を判定してよい。例えば、ロック解除されている画面が主画面と判定され、ロックされている画面が副画面と判定される。
【０１２６】
端末はさらに、別の既知の方法を用いて主画面を判定してよく、詳細はここで説明しない。
【０１２７】
端末は、ディスプレイコントローラを用いて、画面の表示コンテンツを取得してもよく、又はプロセッサを用いて画面の表示コンテンツを取得してもよい。画面の表示コンテンツは、既存の方法を用いて取得されてよく、詳細はここで説明しない。
【０１２８】
画面の表示状況は、画面のオン／オフ状況及び表示コンテンツを含む。
【０１２９】
画面のオン／オフ状況は、オン状態、スリープ状態、及びオフ状態を含む。端末は、上述したディスプレイコントローラ１７３又はプロセッサ１８０を用いて、画面のオン／オフ状況を取得してよい。画面がオンになると、画面は様々な種類のコンテンツを表示してよく、またユーザ操作を行い、ユーザの制御命令を受信してよい。画面がスリープ状態になると、画面はいかなるコンテンツも表示しないが、ユーザ操作を行うことができる。画面がオフになると、画面はいかなるコンテンツも表示せず、ユーザ操作も行わない。
【０１３０】
画面の表示コンテンツは、端末に表示されているか又は表示されるシステムデスクトップ又はアプリケーションインタフェースを含む。表示コンテンツは、上述したディスプレイコントローラ１７３又はプロセッサ１８０を用いて取得されてよい。
【０１３１】
システムデスクトップは、通知バー領域、アイコン表示領域、及びショートカットアプリケーション領域を含んでよく、さらにウィジェット（Ｗｉｄｇｅｔ）を含んでもよい。１つ又は複数のアイコン表示領域があってよく、端末は、１つのアイコン表示領域をある時点で画面に表示してよい。システムデスクトップが複数のアイコン表示領域を含む場合、これらのアイコン表示領域のうちの１つが主アイコン表示領域であってよく、残りのアイコン表示領域が副アイコン表示領域である。主アイコン表示領域とは、一般的には端末がロック解除された後に表示されるアイコン表示領域である。システムデスクトップが１つのアイコン表示領域を含む場合、当該アイコン表示領域が主アイコン表示領域であってよい。
【０１３２】
任意選択で、システムデスクトップはさらにＨｉＢｏａｒｄを含んでよく、ＨｉＢｏａｒｄは、検索ボックス、ユーザがよく用いるアプリケーションリンク、様々な種類のメッセージ通知、及びニュースなどのコンテンツを含んでよい。ＨｉＢｏａｒｄは通常、アイコン表示領域の左端側に位置している。
【０１３３】
アプリケーションインタフェースは、アプリケーションウィンドウとも呼ばれることがあり、インタフェースサイズ及びインタフェース位置を含んでよい。
【０１３４】
インタフェースサイズは、解像度で表されてよい。例えば、インタフェースの幅方向のピクセル数が１０８０であり、高さ方向のピクセル数が７２０である場合、インタフェースサイズは１０８０×７２０の解像度として表されてよい。曖昧さがない場合、本明細書において言及される幅又は高さが、幅方向又は高さ方向のピクセル数を意味することに留意されたい。
【０１３５】
インタフェース位置は、端末画面の左上隅に対するアプリケーションインタフェースの左上隅の位置座標で決定されてよい。例えば、端末画面が第１の位置状況にあり、第１の画面が第２の画面の左側に位置している場合、第１の画面の左上隅の頂点が原点である。アプリケーションインタフェースが第１の画面に表示されている場合、アプリケーションインタフェースの位置座標は（０，０）である。アプリケーションインタフェースが第２の画面に表示されている場合、アプリケーションインタフェースの位置座標は（Ｗ＋１，０）であり、Ｗは第１の画面の幅である。
【０１３６】
段階２０２では、トリガイベントが、端末をトリガして第１の画面及び第２の画面の表示状況を調整するのに用いられる。トリガイベントは、第１の画面及び第２の画面の向きの変化であってもよく、事前設定されたユーザ操作であってもよく、事前設定されたアプリケーションアクティビティであってもよく、前述のトリガイベントの組み合わせであってもよい。
【０１３７】
第１の画面及び第２の画面の向きの変化は、画面の相対的な位置状況の変化であってよく、例えば、画面は、第１の位置状況から第２の位置状況に切り替えられる、又は第１の画面及び第２の画面の向きの変化は画面姿勢の変化であってよく、例えば、画面は、横向き配置から縦向き配置に切り替えられる、又は第１の画面及び第２の画面の向きの変化はユーザにより使われる画面の変更であってよく、例えば、画面が第２の位置状況にあり、ユーザは第１の画面を用いる。第２の画面が端末の前面に回転すると、ユーザは第２の画面を用いる。この場合、ユーザにより使われている画面が変わる。
【０１３８】
端末は、段階２０１で説明された方法を用いて、第１の画面及び第２の画面の向きの変化を検出してよい。端末が第１の画面及び第２の画面の向きの変化を検出した場合、端末はトリガイベントが生じたと判定する。そうでなければ、端末はトリガイベントが生じていないと判定する。
【０１３９】
事前設定されたユーザ操作は、ユーザ操作が端末画面の表示状況及び表示コンテンツを調整するためのユーザ操作、例えば、特定の図表を指で押す、スライドさせる、又は描くなどの操作であるかどうかを判定するのに用いられてよい。
【０１４０】
ある例では、事前設定されたユーザ操作は、画面の事前設定された領域でユーザが行う操作であってよい。例えば、特定の領域が画面から分離されてよい。事前設定された領域でユーザが操作を行ったことを端末が検出した場合、端末は、事前設定されたユーザ操作をユーザが行ったと判定する。
【０１４１】
別の例では、事前設定されたユーザ操作は代替的に、事前設定されたジェスチャ操作をユーザが画面で行うことであってよい。例えば、特定のジェスチャ、例えば、事前設定された期間を超えて画面をタップすること、又は画面上でスライドさせた軌跡が閉じた三角形、正方形、若しくは円であることが設定されてよい。事前設定されたジェスチャ操作をユーザが行ったことを端末が検出した場合、端末は、ユーザが事前設定されたユーザ操作を実行したと判定する。
【０１４２】
別の例では、事前設定されたユーザ操作は代替的に、画面の事前設定された領域で事前設定されたジェスチャ操作を行うこと、言い換えれば、前述の２つの方式の組み合わせであってよい。例えば、ユーザは、特定のジェスチャ（例えば、事前設定された期間を超えて画面を押すこと、又は画面上でスライドさせた軌跡が閉じた三角形、正方形、若しくは円であること）を画面の特定の領域で行うように設定されてよく、端末は、ユーザが事前設定されたユーザ操作を行ったと判定する。
【０１４３】
前述の事前設定されたユーザ操作は単に一例としての説明であり、事前設定されたユーザ操作は実際の要件に基づいて柔軟に設定されても定義されてもよいことが理解されるであろう。
【０１４４】
端末は、ユーザが画面で行う操作を検出し、このユーザ操作を事前設定されたユーザ操作と照合してよい。照合に成功した場合、端末はトリガイベントが生じたと判定する。そうでなければ、端末はトリガイベントが生じていないと判定する。端末は、上述した入力装置コントローラ１７１を用いてユーザ操作を検出してよい。
【０１４５】
事前設定されたアプリケーションアクティビティは、あるアプリケーションアクティビティが端末画面の表示状況及び表示コンテンツを調整するための、例えば、着信、ショートメッセージ、インスタントメッセージングのメッセージ、又は別のアプリケーションのメッセージ通知などの、表示する必要がある新規コンテンツを受信するためのアプリケーションアクティビティであるかどうかを判定するのに用いられてよい。
【０１４６】
事前設定されたアプリケーションアクティビティは、ユーザにより管理され定義されてよい。例えば、ユーザは、着信、ショートメッセージ、及びインスタントメッセージングアプリケーションを優先度の高いアプリケーションとして定義してよい。前述の優先度の高いアプリケーションが新規コンテンツを受信すると、端末はトリガイベントが生じたと判定する。
【０１４７】
端末は、アプリケーションアクティビティを検出し、当該アプリケーションアクティビティを事前設定されたユーザ操作と照合してよい。照合に成功した場合、端末はトリガイベントが生じたと判定する。そうでなければ、端末はトリガイベントが生じていないと判定する。端末は、上述したプロセッサ１８０を用いてアプリケーションアクティビティを検出してよい。
【０１４８】
任意選択で、端末は、アプリケーションアクティビティが事前設定されたアプリケーションアクティビティであると判定した場合、画面の表示状況及び表示コンテンツを調整するためのプロンプトをユーザに送信してよい。例えば、端末は、対応するテキストプロンプトをユーザが現在使用している表示画面に提供しても、振動及び／又は音によってプロンプトを直接的に提供してもよい。このように、ユーザは、ユーザ操作を用いて、画面の表示状況を調整するかどうかを判定してよい。
【０１４９】
画面の表示状況及び表示コンテンツを調整するためのトリガイベントが生じた場合、端末は、取得した向きと、第１の画面及び第２の画面の現在の表示状況とに基づいて各画面の表示状況を調整し、調整された表示コンテンツを第１の画面、第２の画面、又は第１の画面及び第２の画面に表示する。具体的には、端末は、画面の向きに基づいて画面の表示状況を調整してよい。例えば、画面が第１の位置状況にある場合、端末は２つの画面を有効にしてよく、画面が第２の位置状況にある場合、端末は、端末の前面にある画面を有効にしてよく、また端末の後面にある画面をオフ状態又はスタンバイ状態に設定してよい。端末はさらに、システムデスクトップ及びアプリケーションインタフェースのサイズ及び位置を再決定してよい。端末は、画面の調整された表示状況をプロセッサ又はディスプレイコントローラに送信し、各画面の表示データを生成し、当該表示データを表示のために各画面に割り当ててよい。端末は、既存の方法を用いて、表示データを生成し、前述のデータを表示のために各画面に割り当ててよい。例えば、各アプリケーションのインタフェースＵＩは、アンドロイド（Ａｎｄｒｏｉｄ（登録商標））システムのＳｕｒｆａｃｅＦｌｉｎｇｅｒサービスに基づいて描かれるので、詳細はここで説明しない。
【０１５０】
ある例では、端末画面は第１の位置状況にあり、２つの画面のサイズは同じである。幅及び高さはそれぞれ、Ｗ及びＨである。画面姿勢が横向きの場合、端末は、２Ｗ×Ｈの画面サイズに基づいて表示データを生成し、当該表示データを表示のために第１の画面及び第２の画面に割り当てる。画面姿勢が縦向きの場合、端末は、Ｈ×２Ｗの画面サイズに基づいて表示データを生成し、当該表示データを表示のために第１の画面及び第２の画面に割り当てる。
【０１５１】
任意選択で、端末の２つの画面のサイズは異なってもよい。第１の画面の幅及び高さがそれぞれ、Ｗ１及びＨ１であり、第１の画面の幅及び高さがそれぞれ、Ｗ２及びＨ２である。画面姿勢が横向きの場合、端末は、Ｗ１×Ｈ１の画面サイズに基づくウィンドウを用いて表示データを生成し、Ｗ２×Ｈ２の画面サイズに基づく別のウィンドウを用いて表示データを生成してよい。画面姿勢が縦向きの場合、端末は、Ｗ１×Ｈ１の画面サイズに基づくウィンドウを用いて表示データを生成し、Ｗ２×Ｈ２の画面サイズに基づく別のウィンドウを用いて表示データを生成し、表示データを表示のために第１の画面及び第２の画面に割り当ててよい。
【０１５２】
別の例では、端末画面は第２の位置状況にあり、２つの画面のサイズは同じである。幅がＷであり、高さがＨである。第１の画面はオンになり、第２の画面はオフになる。画面姿勢が横向きの場合、端末は、Ｗ×Ｈの画面サイズに基づいて表示データを生成してよい。端末の２つの画面が第２の位置状況から第１の位置状況に切り替わった場合、第１の画面はオンにとどまり、第２の画面はオフからオンに切り替わり、端末はＷ×２Ｈの画面サイズに基づいて表示データを生成してよい。画面姿勢が縦向きの場合、端末は２Ｈ×Ｗの画面サイズに基づいて表示データを生成する。端末は、表示データを生成した後に、当該表示データを表示のために第１の画面及び第２の画面に割り当てる。
【０１５３】
本発明の本実施形態では、端末は、画面の向き、表示状況、及び表示コンテンツを取得する。端末は、トリガイベントが生じたと判定した場合、画面の表示状況をタイムリーに調整し得るので、ユーザは、異なる画面間で連携操作及び連携表示を行うことができ、これにより、ユーザ体験が向上する。
【０１５４】
異なるシナリオでの端末表示の解決手段がさらに、２画面端末の画面の相対的な位置状況をシナリオとして用い、図７〜図１６Ａ及び図１６Ｂを参照して以下に説明される。
【０１５５】
［シナリオ１］
【０１５６】
端末の２つの画面が第１の位置状況にあり、２つの画面は拡張画面を構成し得る。単画面と比べると、拡張画面は、より多くのコンテンツを表示するのに用いられ得る。そのコンテンツは、拡張システムデスクトップ、拡張アプリケーションインタフェース、又は複数のアプリケーションインタフェースなどを含む。
【０１５７】
拡張システムデスクトップは、拡張された通知領域、拡張されたアイコン表示領域、及び拡張されたショートカットアプリケーション領域を含んでよい。
【０１５８】
拡張アプリケーションインタフェースは、例えば、拡大された写真又は映像を拡張画面に表示するアプリケーションインタフェースの拡張表示であってよい。拡張アプリケーションインタフェースは代替的に、１つのアプリケーションの複数のインタフェースであってよい。例えば、アプリケーションは２段メニューを含む。端末は、一方の画面に１段目のメニューを表示し、もう一方の画面に２段目のメニューを表示してよい。
【０１５９】
複数のアプリケーションインタフェースは、フォアグラウンドで端末が起動する複数のアプリケーションのインタフェースであってよい。例えば、端末が２つのアプリケーションをフォアグラウンドで起動する場合、端末は、一方のアプリケーションインタフェースを一方の画面に表示し、もう一方のアプリケーションインタフェースをもう一方の画面に表示してよい。
【０１６０】
トリガイベントが生じたと端末が判定した場合、端末は画面の表示状況を調整する。トリガイベントは、画面姿勢の変化、ユーザ操作、又はアプリケーションアクティビティなどを含んでよい。
【０１６１】
ある例では、図７の（Ａ）に示すように、端末は横向き姿勢であり、言い換えれば、画面ヒンジが水平方向に配置されている。第１の画面が下側に位置し、第２の画面が上側に位置している。端末はビデオアプリケーションインタフェースを表示しており、このビデオアプリケーションは最大化した方式でビデオを再生する。この場合、端末画面の相対的な位置状況、表示状況、及び表示コンテンツは、以下のとおりである。すなわち、２つの画面はオンであり、第１の画面はビデオの下半分のコンテンツを表示し、第２の画面はビデオの上半分のコンテンツを表示する。端末は時計回りに回転して縦向き姿勢になると、言い換えれば、端末が時計回りに９０°回転すると、図７の（Ｂ）に示すように、端末は姿勢の変化を検出し、トリガイベントが生じたと判定する。画面の相対的な位置状況が変化しない場合、端末は２つの画面をオンに保ち、回転後に取得された方向に基づいてビデオアプリケーションインタフェースを再配置し、ビデオの左半分のコンテンツを第１の画面に表示し、ビデオの右半分のコンテンツを第２の画面に表示する。
【０１６２】
任意選択で、端末が横向き姿勢になると、ビデオアプリケーションインタフェースは画面の中央に表示されなくてもよく、２つの画面のうちの一方、例えば、第１の画面又は第２の画面に表示される。端末は、姿勢の変化を検出すると、トリガイベントが生じたと判定し、画面の表示状況を調整する。
【０１６３】
端末は、姿勢の変化を検出することで、トリガイベントが生じたと判定し、表示コンテンツを適応的に調整してよい。
【０１６４】
別の例では、図８の（Ａ）に示すように、端末は横向き姿勢である。第１の画面は下側に位置し、第２の画面は上側に位置している。第１の画面はビデオアプリケーションインタフェースを表示し、第２の画面は別のアプリケーションインタフェース又はシステムデスクトップを表示する。端末はインスタントメッセージングアプリケーションをバックグラウンドで起動し、インスタントメッセージングアプリケーションインタフェースがビデオアプリケーションインタフェースの次のレイヤに位置している。ユーザは、指一本で第１の画面から第２の画面へのスライドを実行する。この操作が、アプリケーションインタフェースを切り替えるという事前設定されたユーザ操作と一致した場合、端末はトリガイベントが生じたと判定する。図８の（Ｂ）に示すように、画面の向きが変化しない場合、端末は２つの画面をオンに保ち、ビデオアプリケーションインタフェース及びインスタントメッセージングアプリケーションインタフェースを再配置して、インスタントメッセージングアプリケーションインタフェースを第１の画面に表示し、ビデオアプリケーションインタフェースを第２の画面に表示する。
【０１６５】
任意選択で、端末は、ビデオアプリケーションインタフェースが第１の画面から第２の画面にスムーズに移動するアニメーション効果を表示してよい。
【０１６６】
任意選択で、インスタントメッセージングアプリケーションインタフェースはさらに、１つ又は複数のアプリケーションインタフェースを含み、端末は１つ又は複数のアプリケーションインタフェースを第１の画面から第２の画面にユーザ操作を用いてレイヤごとに移動させてよい。アプリケーションウィンドウは、第２の画面に移動すると、第２の画面に表示されるアプリケーションインタフェースをレイヤごとに覆ってよい。さらに、端末は、ユーザ操作を用いて、第２の画面に表示されるアプリケーションインタフェースを第１の画面に移動させてよい。アプリケーションウィンドウは、第１の画面に移動すると、第１の画面に表示されるアプリケーションインタフェースをレイヤごとに覆ってよい。
【０１６７】
任意選択で、端末は、ユーザ操作を用いて、２つの画面に表示されるアプリケーションインタフェースをレイヤごとに無効にしてよい。言い換えれば、端末は、２つの画面の最上部のレイヤにあるアプリケーションインタフェースを無効にして、次のレイヤのアプリケーションインタフェースを表示してよい。
【０１６８】
端末は、ユーザ操作を検出することでトリガイベントが生じたと判定し、アプリケーションインタフェースの位置を調整して、異なるアプリケーションインタフェースを組み合わせてよい。
【０１６９】
別の例では、図９の（Ａ）に示すように、端末は縦向き姿勢であり、第１の画面が左側にあり、第２の画面が右側にある。端末は、ビデオアプリケーションインタフェースの表示を拡張画面で最大化する。端末がアプリケーションアクティビティを検出すると、例えば、携帯電話アプリケーションが着信を受信すると、端末はトリガイベントが生じたと判定する。図９の（Ｂ）に示すように、端末はアプリケーション配置を調整し、アクティビティアプリケーションを第１の画面に表示し、ビデオアプリケーションインタフェースを第２の画面に表示する。ユーザがアプリケーションアクティビティの処理、例えば、着信を切ること又はショートメッセージをタップして送信することを完了すると、端末は、ビデオアプリケーションインタフェースを拡張インタフェースに復帰させる。
【０１７０】
任意選択で、端末は、アプリケーションの種類に基づいて、アプリケーション状況を調整してよい。例えば、アプリケーションがビデオアプリケーション又は音楽アプリケーションの場合、端末は、アプリケーションのインタフェースを調整するときに、アプリケーションを再生状態から休止状態に切り替えてよい。端末が表示のために拡張インタフェースに復帰すると、端末はアプリケーションを休止状態から再生状態に切り替えてよい。
【０１７１】
端末は、アプリケーションアクティビティを検出することで、トリガイベントが生じたと判定してよい。端末は、拡張画面を提供するときに、同時に重要なイベントにタイムリーに応答し、マルチタスク処理を実施する。
【０１７２】
［シナリオ２］
【０１７３】
端末の２つの画面が第２の位置状況にあり、一方の画面が端末の前面の方向を向いており、もう一方の画面が端末の後面の方向を向いている。第２の位置状況では、端末は、異なるコンテンツを２つの画面に表示してよい。例えば、端末の前面にある画面は、ユーザが注目するメインコンテンツを表示し、端末の後面にある画面は他のコンテンツを表示する。端末は代替的に、端末の前面にある画面のみを有効にし、端末の後面にある画面がスリープ状態又はオフ状態になることを可能にしてよい。任意選択で、端末は代替的に、端末の後面にある画面をロックして、当該画面がユーザ操作を受信できないようにしてよい。
【０１７４】
トリガイベントが生じたと端末が判定した場合、端末は画面の表示状況を調整する。トリガイベントは、画面姿勢の変化、ユーザ操作、又はアプリケーションアクティビティなどを含んでよい。
【０１７５】
端末は、トリガイベントに基づいて、２つの画面の表示コンテンツを切り替えてよく、端末は、ユーザが端末の後面にある画面で行う操作に基づいて、前部画面の表示コンテンツを制御して、２つの画面間の連携を引き起こしてもよい。
【０１７６】
ある例では、図１０Ａの（Ａ）に示すように、端末の第１の画面は前面に位置し、第２の画面は後面に位置している。端末は主アイコン表示領域を第１の画面に表示し、隣接するアイコン表示領域を第２の画面に表示する。図１０Ｂの（Ｂ）に示すように、２つの画面の位置が入れ替わると、言い換えれば、第１の画面が後面に回転し、また第２の画面が前面に回転すると、端末はトリガイベントが生じたと判定する。端末は２つの画面をオンに保ち、２つの画面の表示コンテンツを切り替え、主アイコン表示領域を第２の画面に表示し、隣接するアイコン表示領域を第１の画面に表示する。
【０１７７】
任意選択で、端末は、異なるアプリケーションインタフェース、又はあるアプリケーションの異なるウィンドウを２つの画面に別々に表示してよい。２つの画面の位置が入れ替わると、端末は２つの画面の表示コンテンツを切り替える。
【０１７８】
別の例では、図１１Ａの（Ａ）に示すように、端末の第１の画面は前面に位置し、第２の画面は後面に位置している。端末は主アイコン表示領域を第１の画面に表示し、第２の画面はスリープ状態である。ユーザが第２の画面で操作を行うと、例えば、第２の画面でスライドを行うと、図１１Ｂの（Ｂ）に示すように、端末は、スライド方向に基づいて、主アイコン表示領域に隣接するアイコン表示領域を第１の画面に表示する。具体的には、ユーザが第２の画面で左にスライドすると、これは、第１の画面で左にスライドすることに相当する。したがって、第１の画面に表示される主アイコン表示領域は左にシフトし、右側の隣接するアイコン表示領域が第１の画面に表示される。ユーザが第２の画面で右にスライドする場合もこれと同様であり、方向のみが逆になる。詳細は、ここで説明しない。
【０１７９】
任意選択で、第２の画面はオン状態であってもよい。ユーザが事前設定されたユーザ操作を行った場合、端末は、トリガイベントが生じたと判定し、２つの画面の表示コンテンツを切り替えてよい。
【０１８０】
別の例では、図１２Ａの（Ａ）に示すように、端末の第１の画面は前面に位置し、第２の画面は後面に位置している。端末は、ビデオアプリケーションインタフェースを第１の画面に表示する。端末が新規のメッセージ通知を受信すると、ユーザのビデオ視聴に影響を与えないように、端末はメッセージ通知を第２の画面に表示する。図１２Ａの（Ａ）及び図１２Ｂの（Ｂ）に示すように、ユーザが第２の画面で操作を行うと、例えば、ユーザが第２の画面をタップすると、端末は、このユーザ操作に基づいて、メッセージアプリケーションインタフェースを第１の画面に表示して、ビデオアプリケーションインタフェースを第２の画面に表示する。
【０１８１】
任意選択で、ビデオアプリケーションインタフェースが第２の画面に表示されると、端末はビデオを再生状態から休止状態に切り替えてよい。
【０１８２】
別の例では、図１３Ａの（Ａ）に示すように、端末の第１の画面は前面に位置し、第２の画面は後面に位置している。端末は、ビデオアプリケーションインタフェースを第１の画面に表示する。端末がアプリケーションアクティビティを検出すると、例えば、携帯電話アプリケーションが着信を受信すると、端末はトリガイベントが生じたと判定する。図１３Ｂの（Ｂ）に示すように、端末はアプリケーション配置を調整し、アクティビティアプリケーションを第１の画面に表示し、ビデオアプリケーションインタフェースを第２の画面に表示する。ユーザがアプリケーションアクティビティの処理、例えば、着信を切ること又はショートメッセージをタップして送信することを完了すると、端末は、ビデオアプリケーションインタフェースを拡張インタフェースに復帰させる。
【０１８３】
任意選択で、端末は、アプリケーションの種類に基づいて、アプリケーション状況を調整してよい。例えば、アプリケーションがビデオアプリケーション又は音楽アプリケーションの場合、端末は、アプリケーションのインタフェースを調整するときに、アプリケーションを再生状態から休止状態に切り替えてよい。端末が表示のために拡張インタフェースに復帰すると、端末はアプリケーションを休止状態から再生状態に切り替えてよい。
【０１８４】
［シナリオ３］
【０１８５】
端末画面が第２の位置状況から第１の位置状況に切り替わる。この場合、端末の２つの画面が、折り畳んだ状態から拡張した状態に切り替わる。前述の切り替え過程において、端末は、２つの画面の表示状況及び表示コンテンツを、２つの相対的な位置状況の特徴に基づいて「第２の位置状況に好適」から「第１の位置状況に好適」に調整してよい。
【０１８６】
ある例では、図１４Ａの（Ａ）に示すように、端末は第２の位置状況にあり、端末は縦向き方式で配置されている。端末は主アイコン表示領域を第１の画面に表示し、第２の画面はスリープ状態又はオフ状態になっている。第２の画面が、端末の連結構造体に沿って回転して拡張すると、図１４Ｂの（Ｂ）に示すように、端末は、画面の相対的な位置状況が変わったことを検出し、トリガイベントが生じたと判定する。したがって、端末は、第１の画面の状況を変えずに保ち、第２の画面を有効にして、主アイコン表示領域の右側に隣接するアイコン表示領域を第２の画面に表示する。
【０１８７】
任意選択で、第２の画面が第１の画面の左側に位置している場合、端末は主アイコン表示領域の左側に隣接するアイコン表示領域を第２の画面に表示してよい。
【０１８８】
任意選択で、システムデスクトップが主アイコン表示領域のみを含む場合、端末は、新規のアイコン表示領域を作成して、当該新規のアイコン表示領域を第２の画面に表示してよい。端末は、ＨｉＢｏａｒｄも第２の画面に表示してよい。
【０１８９】
任意選択で、第１の画面は複数のアイコン表示領域のうちのいずれか１つを表示してよい。第２の画面が拡張されると、第２の画面は、アイコン表示領域の右側又は左側に隣接するアイコン表示領域を表示してよい。
【０１９０】
別の例では、図１５Ａの（Ａ）に示すように、端末の第１の画面は、現在起動しているアプリケーション及びソフトキーボードを表示し、またアプリケーションは、インスタントメッセージングアプリケーションであっても、文書処理アプリケーションであってもよい。第２の画面が画面連結構造体の軸に沿って回転して拡張すると、図１５Ｂの（Ｂ）に示すように、端末は、アプリケーション及びソフトキーボードを表示のために第１の画面及び第２の画面に拡張する。アプリケーション及びソフトキーボードを表示のために拡張することで、テキスト閲覧領域及びテキスト入力領域を拡張することができ、キーの間隔が非常に狭いために生じる誤入力を減らすことができる。
【０１９１】
任意選択で、アプリケーションは代替的に、別の種類のアプリケーション、例えば、アルバムアプリケーションであっても、ビデオアプリケーションであってもよい。第２の画面がヒンジに沿って回転して拡張すると、端末は、これらのアプリケーションインタフェースを表示のために第１の画面及び第２の画面に拡張する。
【０１９２】
別の例では、図１６Ａの（Ａ）に示すように、端末の第１の画面は、現在起動しているアプリケーションの１段目のメニュー、例えば、システム設定プログラムの表示設定メニューを表示する。第２の画面がヒンジに沿って回転して拡張すると、図１６Ｂの（Ｂ）に示すように、端末は第１の画面に表示される１段目のメニューを変えずに保ち、１段目のメニューに対応する２段目のメニューを第２の画面に表示する。２段メニューを表示することで、関連オプションをすぐに閲覧し設定できることは、ユーザにとって便利である。
【０１９３】
任意選択で、アプリケーションが複数のページを含む場合、例えば、電子書籍リーディングアプリケーションでは、端末は、アプリケーションの１枚のページを第１の画面に表示する。第２の画面がヒンジに沿って回転して拡張すると、端末は第１の画面の表示コンテンツを変えずに保ち、そのページの次のページを第２の画面に表示する。
［実施形態２］
【０１９４】
図１７は、本発明の一実施形態による第２の端末の概略構造図である。本発明の本実施形態において提供される端末は、図４〜図１６Ａ及び図１６Ｂに示す本発明の実施形態において実装される方法を実行するように構成されてよい。図１７に示すように、端末１７００は、取得モジュール１７０１と表示モジュール１７０２とを含む。
【０１９５】
取得モジュール１７０１は、端末の第１の画面及び第２の画面の向きと表示状況とを取得するように構成される。表示モジュール１７０２は、トリガイベントが生じたときに、第１の画面及び第２の画面の向きと表示状況とに基づいて、調整された表示コンテンツを第１の画面及び第２の画面に表示するように構成され、トリガイベントは、端末をトリガして、第１の画面及び第２の画面の表示状況を調整するのに用いられる。
【０１９６】
任意選択で、取得モジュール１７０１はさらに、第１の画面及び第２の画面の相対的な位置状況を取得するように構成される。
【０１９７】
任意選択で、取得モジュール１７０１はさらに、第１の画面及び第２の画面に配置されたセンサを用いて、相対的な位置状況を取得するように構成される。
【０１９８】
本発明の本実施形態では、端末は、画面の向き、表示状況、及び表示コンテンツを取得する。端末は、トリガイベントが生じたと判定した場合、画面の表示状況をタイムリーに調整し得るので、ユーザは、異なる画面間で連携操作及び連携表示を行うことができ、これにより、ユーザ体験が向上する。
［実施形態３］
【０１９９】
図１８は、本発明の一実施形態による第３の端末の概略構造図である。本発明の本実施形態において提供される端末は、図４〜図１６Ａ及び図１６Ｂに示す本発明の実施形態において実装される方法を実行するように構成されてよい。説明しやすいように、本発明の本実施形態に関連する部分のみが示されている。開示されていない特定の技術的詳細については、前述した本発明の方法の実施形態、及び本願書類の別の部分を参照されたい。図１８に示すように、端末１８００は、プロセッサ１８１０と、メモリ１８２０と、画面１８３０と、センサ１８４０とを含む。
【０２００】
プロセッサ１８１０は、１つ又は複数のバスを用いて、メモリ１８２０、表示画面１８３０、及びセンサ１８４０に連結されており、センサ１８５０により収集された情報を取得し、メモリ１８２０に格納された実行命令を呼び出し、メモリ１８２０に格納された実行命令を提示のために表示画面１８３０に送信するように構成される。プロセッサ１８１０は、図１に示すプロセッサ１８０であってよい。
【０２０１】
メモリ１８２０は、図１に示すメモリ１２０であっても、メモリ１２０に含まれるいくつかの構成要素であってもよい。
【０２０２】
画面１８３０は、少なくとも第１の画面及び第２の画面を含む。表示画面１８３０は、図１に示す表示画面１４０であっても、別の外部表示装置であってもよい。
【０２０３】
センサ１８４０は、図１に示すセンサ１５０であってよい。
【０２０４】
プロセッサ１８１０は、第１の画面及び第２の画面の向きと表示状況とを取得し、トリガイベントが生じたときに、第１の画面及び第２の画面の向きと表示状況とに基づいて、調整された表示コンテンツを第１の画面及び第２の画面に表示するように構成され、トリガイベントは、端末をトリガして第１の画面及び第２の画面の表示状況を調整するのに用いられる。
【０２０５】
さらに、プロセッサ１８１０はさらに、第１の画面及び第２の画面の相対的な位置状況を取得するように構成される。
【０２０６】
また、プロセッサ１８１０はさらに、第１の画面及び第２の画面に配置されたセンサを用いて、相対的な位置状況を取得するように構成される。
【０２０７】
本発明の本実施形態では、端末は、画面の向き、表示状況、及び表示コンテンツを取得する。端末は、トリガイベントが生じたと判定した場合、画面の表示状況をタイムリーに調整し得るので、ユーザは、異なる画面間で連携操作及び連携表示を行うことができ、これにより、ユーザ体験が向上する。
【０２０８】
本発明の前述の実施形態の全て又は一部が、ソフトウェア、ハードウェア、ファームウェア、又はこれらの任意の組み合わせを用いて実装されてよい。これらの実施形態を実装するのにソフトウェアが用いられる場合、当該実施形態は、コンピュータプログラム製品の形態で完全に又は部分的に実装されてよい。コンピュータプログラム製品は、１つ又は複数のコンピュータ命令を含む。コンピュータプログラム命令がコンピュータにロードされてコンピュータで実行されると、本発明の実施形態による手順又は機能の全て若しくは一部が生み出される。コンピュータは、汎用コンピュータ、専用コンピュータ、コンピュータネットワーク、又は別のプログラム可能な装置であってもよい。コンピュータ命令は、コンピュータ可読記憶媒体に格納されてもよく、又はあるコンピュータ可読媒体から別のコンピュータ可読媒体に伝送されてもよい。例えば、コンピュータ命令は、あるウェブサイト、コンピュータ、サーバ、又はデータセンタから、別のウェブサイト、コンピュータ、サーバ、又はデータセンタに、有線（例えば、同軸ケーブル、光ファイバ、又はデジタル加入者線（Ｄｉｇｉｔａｌ  Ｓｕｂｓｃｒｉｂｅｒ  Ｌｉｎｅ、ＤＳＬ））又は無線（例えば、赤外線、電波、又はマイクロ波）方式で伝送されてよい。コンピュータ可読記憶媒体は、コンピュータがアクセス可能な任意の使用可能な媒体であっても、１つ又は複数の使用可能な媒体を統合したサーバ又はデータセンタなどのデータ記憶装置であってもよい。使用可能な媒体は、磁気媒体（例えば、フロッピディスク、ハードディスク、又は磁気テープ）、光媒体（例えば、ＤＶＤ）、又は半導体媒体（例えば、ソリッドステートディスク（Ｓｏｌｉｄ  Ｓｔａｔｅ  Ｄｉｓｋ、ＳＳＤ））などであってよい。
【０２０９】
当業者であれば、前述の例のうちの１つ又は複数において、本発明で説明された機能がハードウェア、ソフトウェア、ファームウェア、又はこれらの任意の組み合わせを用いて実装され得ることを認識しているはずである。これらの機能は、ソフトウェアで実装される場合、コンピュータ可読媒体に格納されても、当該コンピュータ可読媒体内の１つ又は複数の命令若しくはコードとして伝送されてもよい。コンピュータ可読媒体は、コンピュータ記憶媒体及び通信媒体を含み、通信媒体は、ある場所から別の場所にコンピュータプログラムを伝送することを可能にする任意の媒体を含む。記憶媒体は、汎用コンピュータ又は専用コンピュータがアクセス可能な任意の利用可能な媒体であってよい。
【０２１０】
前述の具体的な実装例において、本発明の目的、技術的解決手段、及び有益な効果はさらに、詳細に説明されている。前述の説明は、本発明の技術的解決手段についての単なる好ましい実施形態にすぎず、本発明の保護範囲の限定を意図していないことが、当業者によって理解されるであろう。本発明の意図及び原理から逸脱することなく行われる、いかなる修正、均等な置き換え、又は改善も、本発明の保護範囲に含まれることになる。
（項目１）
少なくとも第１の画面及び第２の画面を備える端末に適用される表示制御方法であって、
上記表示制御方法は、
上記第１の画面及び上記第２の画面の向き及び表示状況を上記端末が取得する段階と、
トリガイベントが生じたときに、上記第１の画面及び上記第２の画面の上記向きと上記表示状況とに基づいて、調整された表示コンテンツを上記第１の画面及び上記第２の画面に上記端末が表示する段階であって、上記トリガイベントは、上記端末をトリガして上記第１の画面及び上記第２の画面の上記表示状況を調整するのに用いられる、段階と
を備える、表示制御方法。
（項目２）
上記端末の上記第１の画面及び上記第２の画面の向きを上記端末が上記取得する段階は、上記第１の画面及び上記第２の画面の相対的な位置状況を上記端末が取得する段階を有する、項目１に記載の表示制御方法。
（項目３）
上記相対的な位置状況は、第１の位置状況及び第２の位置状況を含み、
上記第１の位置状況では、上記第１の画面及び上記第２の画面は並んで同じ方向を向いており、
上記第２の位置状況では、上記第１の画面及び上記第２の画面は背中合わせに重なっている、項目２に記載の表示制御方法。
（項目４）
上記端末の上記第１の画面及び上記第２の画面の相対的な位置状況を上記端末が上記取得する段階は、
上記第１の画面及び上記第２の画面に配置されたセンサを用いて、上記相対的な位置状況を上記端末が取得する段階を有する、項目２又は３に記載の表示制御方法。
（項目５）
上記センサは、重力センサ、光学式近接センサ、又は重力センサと光学式近接センサとの組み合わせを含む、項目４に記載の表示制御方法。
（項目６）
上記第１の画面及び上記第２の画面の上記表示状況は、上記第１の画面及び上記第２の画面のオン／オフ状態と表示コンテンツとを含む、項目１から５のいずれか一項に記載の表示制御方法。
（項目７）
上記トリガイベントは、
上記第１の画面及び上記第２の画面の向きの変化と、
事前設定されたユーザ操作と、
事前設定されたアプリケーションアクティビティと
のうちの少なくとも１つのイベントを含む、項目１から６のいずれか一項に記載の表示制御方法。
（項目８）
上記事前設定されたユーザ操作は、
事前設定された領域で行われる操作と、事前設定されたジェスチャを用いて行われる操作とのうちの少なくとも１つの方式を含む、項目７に記載の表示制御方法。
（項目９）
上記第１の画面又は上記第２の画面は、表示画面であるか又は上記表示画面の部分的な表示領域である、項目１から８のいずれか一項に記載の表示制御方法。
（項目１０）
上記表示画面は、フレキシブルな表示画面を含む、項目９に記載の表示制御方法。
（項目１１）
少なくとも第１の画面及び第２の画面を備える端末であって、上記端末はさらに、
上記端末の上記第１の画面及び上記第２の画面の向きと表示状況とを取得するように構成された取得モジュールと、
トリガイベントが生じたときに、上記第１の画面及び上記第２の画面の上記向きと上記表示状況とに基づいて、調整された表示コンテンツを上記第１の画面及び上記第２の画面に表示するように構成された表示モジュールであって、上記トリガイベントは、上記端末をトリガして上記第１の画面及び上記第２の画面の上記表示状況を調整するのに用いられる、表示モジュールと
を備える、端末。
（項目１２）
上記取得モジュールはさらに、上記第１の画面及び上記第２の画面の相対的な位置状況を取得するように構成される、項目１１に記載の端末。
（項目１３）
上記相対的な位置状況は、第１の位置状況及び第２の位置状況を含み、
上記第１の位置状況では、上記第１の画面及び上記第２の画面は並んで同じ方向を向いており、
上記第２の位置状況では、上記第１の画面及び上記第２の画面は背中合わせに重なっている、項目１１又は１２に記載の端末。
（項目１４）
上記取得モジュールはさらに、上記第１の画面及び上記第２の画面に配置されたセンサを用いて、上記相対的な位置状況を取得するように構成される、項目１１から１３のいずれか一項に記載の端末。
（項目１５）
上記センサは、重力センサ、光学式近接センサ、又は重力センサと光学式近接センサとの組み合わせを含む、項目１４に記載の端末。
（項目１６）
上記第１の画面及び上記第２の画面の上記表示状況は、上記第１の画面及び上記第２の画面のオン／オフ状態と表示コンテンツとを含む、項目１１から１５のいずれか一項に記載の端末。
（項目１７）
上記トリガイベントは、
上記第１の画面及び上記第２の画面の向きの変化と、
事前設定されたユーザ操作と、
事前設定されたアプリケーションアクティビティと
のうちの少なくとも１つのイベントを含む、項目１１から１６のいずれか一項に記載の端末。
（項目１８）
上記事前設定されたユーザ操作は、
事前設定された領域で行われる操作と、事前設定されたジェスチャを用いて行われる操作とのうちの少なくとも１つの方式を含む、項目１７に記載の端末。
（項目１９）
上記第１の画面又は上記第２の画面は、表示画面であるか又は上記表示画面の部分的な表示領域である、項目１１から１８のいずれか一項に記載の端末。
（項目２０）
上記表示画面は、フレキシブルな表示画面を含む、項目１９に記載の端末。
（項目２１）
プロセッサと、メモリと、少なくとも第１の画面及び第２の画面と、センサとを備える端末であって、
上記プロセッサは、上記第１の画面及び上記第２の画面の向きと表示状況とを取得し、トリガイベントが生じたときに、上記第１の画面及び上記第２の画面の上記向きと上記表示状況とに基づいて、調整された表示コンテンツを上記第１の画面及び上記第２の画面に表示するように構成され、上記トリガイベントは、上記端末をトリガして上記第１の画面及び上記第２の画面の上記表示状況を調整するのに用いられる、端末。
（項目２２）
上記プロセッサはさらに、上記第１の画面及び上記第２の画面の相対的な位置状況を取得するように構成される、項目２１に記載の端末。
（項目２３）
上記相対的な位置状況は、第１の位置状況及び第２の位置状況を含み、
上記第１の位置状況では、上記第１の画面及び上記第２の画面は並んで同じ方向を向いており、
上記第２の位置状況では、上記第１の画面及び上記第２の画面は背中合わせに重なっている、項目２１又は２２に記載の端末。
（項目２４）
上記プロセッサはさらに、上記第１の画面及び上記第２の画面に配置されたセンサを用いて、上記相対的な位置状況を取得するように構成される、項目２１から２３のいずれか一項に記載の端末。
（項目２５）
上記センサは、重力センサ、光学式近接センサ、又は重力センサと光学式近接センサとの組み合わせを含む、項目２４に記載の端末。
（項目２６）
上記第１の画面及び上記第２の画面の上記表示状況は、上記第１の画面及び上記第２の画面のオン／オフ状態と表示コンテンツとを含む、項目２１から２５のいずれか一項に記載の端末。
（項目２７）
上記トリガイベントは、
上記第１の画面及び上記第２の画面の向きの変化と、
事前設定されたユーザ操作と、
事前設定されたアプリケーションアクティビティと
のうちの少なくとも１つのイベントを含む、項目２１から２６のいずれか一項に記載の端末。
（項目２８）
上記事前設定されたユーザ操作は、
事前設定された領域で行われる操作と、事前設定されたジェスチャを用いて行われる操作とのうちの少なくとも１つの方式を含む、項目２７に記載の端末。
（項目２９）
上記第１の画面又は上記第２の画面は、表示画面であるか又は上記表示画面の部分的な表示領域である、項目２１から２８のいずれか一項に記載の端末。
（項目３０）
上記表示画面は、フレキシブルな表示画面を含む、項目２９に記載の端末。
（項目３１）
命令を含むコンピュータプログラム製品であって、上記命令がコンピュータで起動すると、上記コンピュータは項目１から１０のいずれか一項に記載の表示制御方法を実行する、コンピュータプログラム製品。
（項目３２）
命令を格納するコンピュータ可読記憶媒体であって、上記命令がコンピュータで起動すると、上記コンピュータは項目１から１０のいずれか一項に記載の表示制御方法を実行する、コンピュータ可読記憶媒体。
【図１】
0006947843.tif 000004
【図２】
0006947843.tif 000005
【図３】
0006947843.tif 000006
【図４】
0006947843.tif 000007
【図５】
0006947843.tif 000008
【図６】
0006947843.tif 000009
【図７】
0006947843.tif 000010
【図８】
0006947843.tif 000011
【図９】
0006947843.tif 000012
【図１０Ａ】
0006947843.tif 000013
【図１０Ｂ】
0006947843.tif 000014
【図１１Ａ】
0006947843.tif 000015
【図１１Ｂ】
0006947843.tif 000016
【図１２Ａ】
0006947843.tif 000017
【図１２Ｂ】
0006947843.tif 000018
【図１３Ａ】
0006947843.tif 000019
【図１３Ｂ】
0006947843.tif 000020
【図１４Ａ】
0006947843.tif 000021
【図１４Ｂ】
0006947843.tif 000022
【図１５Ａ】
0006947843.tif 000023
【図１５Ｂ】
0006947843.tif 000024
【図１６Ａ】
0006947843.tif 000025
【図１６Ｂ】
0006947843.tif 000026
【図１７】
0006947843.tif 000027
【図１８】
0006947843.tif 000028